(57)【要約】【課題】コンパクトで且つ高速の球切りが可能なものとする。。【解決手段】球整列レール１０の終端部に配した球止め用のストッパ２で止められた球１を電磁部材３で駆動して上記ストッパ２を乗り越えさせることで球切りを行うものにおいて、球整列レール１０のストッパ２側の端部に２０°以上の傾斜角を有する急斜面１３を設ける。またストッパ２の急斜面１３からの高さを球１の直径よりも小さく且つ球の半径を越えるものすうｒ。ストッパの高さを低くしている上に急斜面を設けているために、ストッパを乗り越えるのに必要な球の移動距離が非常に短くなっているために速い球切りが可能である。また急斜面上の球はストッパで止められている球を押さえつけるために、ストッパの高さを低くしているにもかかわらず振動があっても球が飛び出してしまうことがない。【選択図】図１
2006247286.tif 000002
【特許請求の範囲】
【請求項１】
球整列レールの終端部に配した球止め用のストッパで止められた球を電磁部材で駆動して上記ストッパを乗り越えさせることで球切りを行う球切り装置において、球が並ぶ球整列レールのストッパ側の端部に２０°以上の傾斜角を有する急斜面を設けるとともに、上記ストッパの急斜面からの高さを球の直径よりも小さく且つ球の半径を越えるものとしていることを特徴とする球切り装置。
【請求項２】
球整列レールにおける上記急斜面の直前部に屈曲した屈曲通路部を設けていることを特徴とする請求項１記載の球切り装置。
【請求項３】
電磁部材は両端面が対向するヨークとこのヨークに巻回したコイルとからなる電磁石であり、上記ヨークの対向する両端面が球の移動経路中におけるストッパの乗り越え位置に配されたものであることを特徴とする請求項１または２記載の球切り装置。
【発明の詳細な説明】
【技術分野】
【０００１】
本発明はパチンコ機等の遊技装置における遊技用の球を１つずつ供給するための球切り装置に関するものである。
【背景技術】
【０００２】
パチンコ機等の遊技装置では、その球発射装置への球の供給や、賞球の払い出しにあたり、球を１つずつ順に送り出す必要があり、このために球切り装置が使用されているが、この球切り装置としては、球発射装置への供給用と、賞球の払い出し用とでは異なるものが用いられていた。前者は図６に示すように、通常５°程度の緩斜面をなすものとして形成された球整列レール１０の終端部に球１を止めるストッパ２を配置し、ストッパ２で止まっている球１を電磁部材３による駆動で乗り越えさせるものが使用されており、後者は外周部に球が嵌る複数の凹部が形成されたカムをモータで回転駆動することによって球を１つずつ間隔をおいた状態で連続的に送り出すものが用いられていた。
【０００３】
図６に示したものは特許第２９８６６９３号公報に示されたものであるが、このものでは球切り装置を小さくすることができるものの、ストッパで止められている球がストッパを乗り越えるのに必要な移動距離が大きく、このために球発射数が１分間に１００発以内と制限されている球発射装置への供給に応ずることはできても、更に高速な球切りが要求される賞球払い出し用に用いることはできない。
【０００４】
これに対して上記後者のものは高速の球切りが可能であるが、モータ及びカムを用いる関係でこの球切り装置４はどうしても大きくなってしまうことから、図７に示すように、遊技機における上部に配された球タンク６から球整列レール１０を介して送られてくる球１を下方に送る賞球路中に設置する場合、遊技用の盤面９の横に配置せざるを得ず、これ故に盤面９のスペースを小さくしなくてはならないことになる。
【０００５】
ここにおいて、図６に示したものにおけるストッパ２の高さを低くして、球１がストッパ２を乗り越える際の移動距離を短くすれば球切りを速くすることができるが、あまり低くすると（球の直径以下の高さとすると）、ストッパ２で止まっている球１には整列レール１０に並んでいる球１の圧力が常時かかっている関係で、ストッパ２で止まっている球１が何らかの振動で少しでも浮き上がったりした時、整列レール１０に並んでいる球１の圧力で押し出されてストッパ２を乗り越えてしまう事態が生じる。
【特許文献１】特許第２９８６６９３号公報
【発明の開示】
【発明が解決しようとする課題】
【０００６】
本発明は上記の従来の問題点に鑑みて発明したものであって、コンパクトであり且つ高速の球切りができる球切り装置を提供することを課題とするものである。
【課題を解決するための手段】
【０００７】
上記課題を解決するために本発明に係る球切り装置は、球整列レールの終端部に配した球止め用のストッパで止められた球を電磁部材で駆動して上記ストッパを乗り越えさせることで球切りを行うものにおいて、球が並ぶ球整列レールのストッパ側の端部に２０°以上の傾斜角を有する急斜面を設けるとともに、上記ストッパの急斜面からの高さを球の直径よりも小さく且つ球の半径を越えるものとしていることに特徴を有している。ストッパの高さを低くしている上に急斜面を設けているために、ストッパを乗り越えるのに必要な球の移動距離が上記急斜面の存在もあって非常に短くなっており、これ故に速い球切りが可能なものであり、しかも球整列レールにおける上記急斜面上の球はストッパで止められている球を押さえつけるために、ストッパの高さを低くしているにもかかわらず振動があっても球が飛び出してしまうようなことがないものである。
【０００８】
そして上記急斜面の直前部に屈曲した屈曲通路部を設けておけば、球整列レールに並んでいる球がストッパで止められている球に加えてしまう圧力が分散されることになり、このためにストッパで止められた球にかかる力が大きすぎて別の問題を招いてしまうということがなくなる。
【０００９】
上記電磁部材としては、両端面が対向するヨークとこのヨークに巻回したコイルとからなる電磁石であり、上記ヨークの対向する両端面が球の移動経路中におけるストッパの乗り越え位置に配されたものを好適に用いることができる。慣性のある可動部材がないために高速球切りに有利となる。
【発明の効果】
【００１０】
本発明は、ストッパの高さを低くしている上に、球整列レールのストッパ側の端部に２０°以上の傾斜角を有する急斜面を設けていることから、球がストッパを乗り越えるのに必要な移動距離が非常に短くなっていて高速の球切りが可能で賞球の払い出しにも適用することができるものであり、しかも上記急斜面の存在はストッパの高さを低くした場合に問題となる振動が与えられた時の球の不用意な飛び出しを防ぐものともなっており、更にストッパと電磁部材を用いるものにおける小型の利点を備えたままであることから、遊技機の盤面を小さくしなくても賞球の払い出しに用いることができる。
【００１１】
球整列レールにおける上記急斜面の直前部の屈曲した屈曲通路部を設けたならば、球整列レールに並んでいる球がストッパで止められている球に加えてしまう力が大きくなりすぎることを防ぐために、電磁部材に必要な駆動力が小さくてすむことになる。
【発明を実施するための最良の形態】
【００１２】
以下、本発明を添付図面に示す実施形態に基いて説明すると、図示例は賞球の払い出し用の球切り装置４であって、球タンク６から供給される球を整列させて送り出す球整列レール１０の終端部には、その球送り方向を横方向から前後方向に変更する方向転換部１１を設けて、この方向転換部１１の後に球１を止めるためのストッパ２を配置している。また、方向転換部１１からストッパ２までの整列レール１０をその傾斜角度θが２０°以上、好ましくは３０°以上となっている急斜面１３としている。また上記方向転換部１１の直前には屈曲した通路部１４を設けることで、ストッパ２で止められた球１に対して整列レール１０に並んでいる球１が加える圧力が大きくなりすぎないようにしている。更に上記ストッパ２は、その高さＨ（整列レール１０の急斜面１３に位置する球１の底部が接する面からの高さ）を球１の半径よりわずかに大きいだけの低いものとしている。
【００１３】
図中３はストッパ２で止められている球１がストッパ２を乗り越えるための力を球１に加える電磁部材であり、ここでは上記特許文献１に示されたものと同じもの、すなわちＣ字形ヨーク３０とこれに巻回したコイル３１とからなる電磁石であり、ヨーク３０の対向する両端面は球１の移動経路中におけるストッパ２の乗り越え位置にある。ストッパ２で止まっている球１をヨーク３０の互いに対向する両端面間まで電磁吸引力により引き上げ、上記両端面間に球１が達してストッパ２を乗り越えた時点で励磁を止めるものを用いている。ストッパ２を乗り越えた球１は、その後は自重で転げ落ちる。
【００１４】
ここにおいて、ストッパ２の高さＨが低くなっているために、ストッパ２を乗り越えるのに必要な球１の移動距離Ｌが短くなっているものであり、しかもこの移動距離Ｌは、ストッパ２で止められた球１が急斜面１３上にあるが故にこの角度が小さい場合よりも更に短くなっていて、球１の周長の１／４以下である。このために高速の球切りが可能となっており、実際、急斜面θが３０°、ストッパ２の高さＨが球１の半径よりわずかに大きいものにおいて、１分間に６００発以上の球切りが可能であった。ストッパ２で止められていた球１がストッパ２を乗り越えるために移動を始めたならば、急斜面１３上にある１つ前の球１によって押されることも高速の球切りに関して有利に作用している。
【００１５】
そして、ストッパ２の高さＨを低くした場合、前述のように斜面として形成された球整列レール１０に並ぶ球１の圧力があるために振動が与えられた時に球１が押し出されてストッパ２を乗り越えてしまいやすくなるが、ここでは前記急斜面１３のためにストッパ２で止められている球１に１つ前の球１が与える力が緩斜面の場合よりも下向きとなっていて、球１が浮き上がりにくくなっており、このために不用意に球１がストッパ２を乗り越えてしまうことはない。ちなみに急斜面１３の傾斜角θが２０°以上であれば、球１が不用意に乗り越えてしまうことはないが、３０°以上であればかなりの振動が加わっても球１が乗り越えてしまうことがなく、しかも上記移動距離Ｌをより短くすることにもなって高速球切りの点でも有利となる。
【００１６】
また、上記急斜面１３の存在は、本来ならばストッパ２で止められた球１にくわわる圧力が大きくなり過ぎて他の弊害をもたらすことになるが、ここでは急斜面１３の直前には前述の方向転換部１１や屈曲した通路部１４があって、球整列レール１０に並ぶ全ての球１の圧力がストッパ２で止まっている球１に加わらないようにしていることから、上記圧力が大きくなりすぎるということがなく、また電磁部材３に要求される球１の駆動力が小さくてすむために、小型の電磁部材３で球１を駆動することができる。また、上記移動距離Ｌが短いことも、小型の電磁部材３で済む理由となっている。なお、傾斜角θが４５°を越えると、ストッパ２で止められた球１の１つ前の球がストッパ２を乗り越えてしまうおそれが生じるために、上記傾斜角θは４５°未満であることが好ましい。
【００１７】
上述した小型高速の球切りが可能な球切り装置４は、図３及び図４に示すように、球タンク６からの球を整列させる球整列レール１０の終端部に配置することができるものであり、盤面９の横には球１が落下するスペース１５を確保するだけでよいものであり、このために大きな盤面９を有する遊技機とすることができる。図中１９は球切り装置４を通過した球１の数をカウントするカウント手段である。
【００１８】
図５(a)(b)に示すものは、ストッパ２に至る球整列レール１０の他の形状例を示すもので、電磁部材３やストッパ２直前の急斜面１３等は上記実施例のものと同じである。
【００１９】
以上の各例では、電磁部材３として電磁吸引力で球１を引き上げてストッパ２を乗り越えさせるもの、つまり慣性がないために応答速度が速いものを示したが、球１を押し上げてストッパ２を乗り越えさせるソレノイド等を用いてもよいのはもちろんである。
【図面の簡単な説明】
【００２０】
【図１】本発明の実施の形態の一例を示すもので、(a)は正面図、(b)は破断側面図である。
【図２】同上の電磁部材を外した状態の正面図である。
【図３】同上の球切り装置を備えた遊技機の概略正面図である。
【図４】同上の部分正面図である。
【図５】(a)(b)は夫々他例の破断側面図である。
【図６】従来例の球切り装置の一例の破断側面図である。
【図７】従来の他の球切り装置を備えた遊技機の概略正面図である。
【符号の説明】
【００２１】
１  球
２  ストッパ
３  電磁部材
１０  球整列レール
１３  急斜面
１４  屈曲通路部
【図１】
2006247286.tif 000003
【図２】
2006247286.tif 000004
【図３】
2006247286.tif 000005
【図４】
2006247286.tif 000006
【図５】
2006247286.tif 000007
【図６】
2006247286.tif 000008
【図７】
2006247286.tif 000009